(57)【要約】【課題】防食被膜の良好な定着力を備えた鋼製部材を提供する。【解決手段】水域構造物又は陸域構造物の前面側と背面側との境界に設けられる鋼製部材（１４）は、鋼製部材の表面及び／又は背面の所定範囲に設置される防食被膜（１６）と、防食被膜を鋼製部材に定着させるための縁部定着材（１８）とを備えている。好ましくは、縁部定着材は、防食被膜の左右端面（１６ａ）から内方に所定距離隔てた個所に垂直方向に連続的又は非連続的にそれぞれ延びるように鋼製部材に固定されている。【選択図】  図１
2020176418.tif 000002
【特許請求の範囲】
【請求項１】
鋼製部材の所定範囲に平面的に所定形状を有する防食被膜と、
前記防食被膜の所定の縁部に前記防食被膜を前記鋼製部材に定着させるための縁部定着材と、
を備えていることを特徴とする防食被膜を有する鋼製部材。
【請求項２】
前記鋼製部材が、水域構造物又は陸域構造物の前面側と背面側との境界に設けられ、前記鋼製部材の表面及び／又は背面の所定範囲に設置される防食被膜と、  前記防食被膜を前記鋼製部材に定着させるための縁部定着材とを備えていることを特徴とする請求項１に記載された防食被膜を有する鋼製部材。
【請求項３】
前記縁部定着材が、前記防食被膜の左右端面から内方に所定距離隔てた個所に垂直方向に連続的又は非連続的にそれぞれ延びるように前記鋼製部材に固定されていることを特徴とする請求項１又は請求項２に記載された防食被膜を有する鋼製部材。
【請求項４】
前記縁部定着材が、前記防食被膜の下端面から上方に所定距離隔てた個所に水平方向に連続的又は非連続的に延びるように前記鋼製部材に固定されていることを特徴とする請求項１から請求項３までのいずれか１項に記載された防食被膜を有する鋼製部材。
【請求項５】
前記縁部定着材が、前記防食被膜の上端面から下方に所定距離隔てた個所に水平方向に連続的又は非連続的に延びるように前記鋼製部材に固定されていることを特徴とする請求項１から請求項４までのいずれか１項に記載された防食被膜を有する鋼製部材。
【請求項６】
前記縁部定着材が、前記鋼製部材に連続的に又は非連続的に固定された凸部材に固定されることによって、前記鋼製部材に間接的に固定されていることを特徴とする請求項１から請求項５までのいずれか１項に記載された防食被膜を有する鋼製部材。
【請求項７】
前記縁部定着材の前記防食被膜への固定が、溶接又は機械的締結によって行われることを特徴とする請求項１から請求項６までのいずれか１項に記載された防食被膜を有する鋼製部材。
【請求項８】
前記鋼製部材及び前記縁部定着材の少なくとも一方は、前記防食被膜が接触する領域の全部又は一部に、粗化面及び凹凸面の少なくとも一方を有していることを特徴とする請求項１から請求項７までのいずれか１項に記載された防食被膜を有する鋼製部材。
【請求項９】
前記縁部定着材が、略円形、略矩形、略三角形、略台形、及び略楕円形等の横断面を有する鋼棒であることを特徴とする請求項１から請求項８までのいずれか１項に記載された防食被膜を有する鋼製部材。
【請求項１０】
前記縁部定着材が、前記鋼製部材に連続的に又は非連続的に設けられた溶接ビードであることを特徴とする請求項１から請求項９までのいずれか１項に記載された防食被膜を有する鋼製部材。
【請求項１１】
前記防食被膜の前記左右端面、前記下端面、又は前記上端面のうち少なくとも１つに接触して設置された養生材をさらに備えていることを特徴とする請求項１から請求項１０までのいずれか１項に記載された防食被膜を有する鋼製部材。
【請求項１２】
非連続的に設けられた前記縁部定着材の非連続部、又は非連続部とその近傍における前記鋼製部材の表面及び／又は背面に、凹凸が設けられていることを特徴とする請求項３から請求項１１までのいずれか１項に記載された防食被膜を有する鋼製部材。
【請求項１３】
非連続的に設けられた前記縁部定着材の非連続部、又は非連続部とその近傍における前記鋼製部材の表面及び／又は背面に、連続又は非連続な溶接ビードによる凹凸が設けられていることを特徴とする請求項３から請求項１１までのいずれか１項に記載された防食被膜を有する鋼製部材。
【請求項１４】
前記縁部定着材の非連続部にも、防食被膜が設けられていることを特徴とする請求項３から請求項１３までのいずれか１項に記載された防食被膜を有する鋼製部材。
【請求項１５】
前記鋼製部材が、鋼矢板、鋼管杭、又は鋼管矢板のいずれかであることを特徴とする請求項２から請求項１４までのいずれか１項に記載された防食被膜を有する鋼製部材。
【請求項１６】
前記防食被膜が、有機系経時硬化材料で形成されることを特徴とする請求項２から請求項１５までのいずれか１項に記載された防食被膜を有する鋼製部材。
【請求項１７】
請求項２から請求項１６までのいずれか１項に記載された防食被膜を有する鋼製部材によって構成される壁体構造物。
【請求項１８】
前記防食被膜の前記下端面の位置が、干潮面下１ｍ以深又は平均干潮面以深のいずれかであることを特徴とする請求項１７に記載された壁体構造物。
【請求項１９】
請求項２から請求項１６までのいずれか１項に記載された防食被膜を有する鋼製部材の製造方法であって、
前記鋼製部材に前記縁部定着材を固定する固定工程と、
前記鋼製部材及び前記縁部定着材の少なくとも一方の少なくとも一部に粗化面及び凹凸面の少なくとも一方を形成する素地調整工程と、
前記粗化面及び前記凹凸面の少なくとも一方を含む領域にプライマ層を形成するプライマ塗装工程と、
前記プライマ層の上に前記防食被膜となる材料を塗布する塗布工程と、
を含むことを特徴とする防食被膜を有する鋼製部材の製造方法。
【請求項２０】
請求項２から請求項１６までのいずれか１項に記載された防食被膜を有する鋼製部材によって構成される壁体構造物の施工方法であって、
前記防食被膜の前記下端面の位置を、干潮面下１ｍ以深又は平均干潮面以深のいずれかとなるように下方支持体中に埋設する工程を含むことを特徴とする防食被膜を有する鋼製部材によって構成される壁体構造物の施工方法。
【請求項２１】
前記下方支持体が、基礎地盤又はコンクリートフーチングであることを特徴とする請求項２０に記載された防食被膜を有する鋼製部材によって構成される壁体構造物の施工方法。
【発明の詳細な説明】
【技術分野】
【０００１】
本発明は、主として屋外に設置される土木・建築鋼構造物や配管やタンク等の鋼製プラント施設における防食被膜を有する鋼製部材や水域構造物（護岸、岸壁、防波堤、導流堤など）、陸域構造物（擁壁、土留壁など）で前面側と背面側との境界に設けられる、防食被膜を有する鋼製部材、壁体構造物、防食被膜を有する鋼製部材の製造方法および壁体構造物の施工方法に関する。
【背景技術】
【０００２】
従来、鋼矢板等の鋼製部材を海域等の厳しい劣化環境（腐食、砂摩耗、氷盤アタック等）で使用しようとする場合、外表面に防護層を有する重防食鋼矢板等を用いた海洋構造物等が提案されている（例えば、特許文献１参照）。特許文献１の重防食鋼矢板は、一定の有効性を有するものの、継手部に保護カバーを固定する必要があるため、施工時に工程数が増加し、その結果、施工期間及び施工費用が増加するという課題がある。
【０００３】
このような課題を解決すべく、本発明者は、現場での固定作業を不要とする等の特徴を有する防護層を有する鋼製部材を提案した（特許文献２）。
【先行技術文献】
【特許文献】
【０００４】
【特許文献１】特開２００４−１３７８０１号公報
【特許文献２】特開２０１８−０８４０５９号公報
【発明の概要】
【発明が解決しようとする課題】
【０００５】
特許文献２に記載された防護層を有する鋼製部材は、防護層の定着について一定の改良の余地があることが判明した。
【０００６】
本発明は、このような状況に鑑みて開発されたものであって、上述のような従来技術における課題を克服し改良を進めた、防食被膜を有する鋼製部材、壁体構造物、防食被膜を有する鋼製部材の製造方法および壁体構造物の施工方法を提供することを目的としている。
【課題を解決するための手段】
【０００７】
本願請求項１に記載された防食被膜を有する鋼製部材は、鋼製部材の所定範囲に平面的に所定形状を有する防食被膜と、前記防食被膜の所定の縁部に前記防食被膜を前記鋼製部材に定着させるための縁部定着材とを備えていることを特徴とするものである。
【０００８】
本願請求項２に記載された防食被膜を有する鋼製部材は、前記請求項１の鋼製部材において、前記鋼製部材が、防水域構造物又は陸域構造物の前面側と背面側との境界に設けられ、前記鋼製部材の表面及び／又は背面の所定範囲に設置される防食被膜と、前記防食被膜を前記鋼製部材に定着させるための縁部定着材とを備えていることを特徴とするものである。
【０００９】
本願請求項３に記載された防食被膜を有する鋼製部材は、前記請求項１又は請求項２の鋼製部材において、前記縁部定着材が、前記防食被膜の左右端面から内方に所定距離隔てた個所に垂直方向に連続的又は非連続的にそれぞれ延びるように前記鋼製部材に固定されていることを特徴とするものである。
【００１０】
本願請求項４に記載された防食被膜を有する鋼製部材は、前記請求項１から請求項３のいずれか１項の鋼製部材において、前記縁部定着材が、前記防食被膜の下端面から上方に所定距離隔てた個所に水平方向に連続的又は非連続的に延びるように前記鋼製部材に固定されていることを特徴とするものである。
【００１１】
本願請求項５に記載された防食被膜を有する鋼製部材は、前記請求項１から請求項４のいずれか１項の鋼製部材において、前記縁部定着材が、前記防食被膜の上端面から下方に所定距離隔てた個所に水平方向に連続的又は非連続的に延びるように前記鋼製部材に固定されていることを特徴とするものである。
【００１２】
本願請求項６に記載された防食被膜を有する鋼製部材は、前記請求項１から請求項５のいずれか１項の鋼製部材において、前記縁部定着材が、前記鋼製部材に連続的に又は非連続的に固定された凸部材に固定されることによって、前記鋼製部材に間接的に固定されていることを特徴とするものである。
【００１３】
本願請求項７に記載された防食被膜を有する鋼製部材は、前記請求項１から請求項６のいずれか１項の鋼製部材において、前記縁部定着材の前記防食被膜への固定が、溶接又は機械的締結によって行われることを特徴とするものである。
【００１４】
本願請求項８に記載された防食被膜を有する鋼製部材は、前記請求項１から請求項７のいずれか１項の鋼製部材において、前記鋼製部材及び前記縁部定着材の少なくとも一方は、前記防食被膜が接触する領域の全部又は一部に、粗化面及び凹凸面の少なくとも一方を有していることを特徴とするものである。
【００１５】
本願請求項９に記載された防食被膜を有する鋼製部材は、前記請求項１から請求項８のいずれか１項の鋼製部材において、前記縁部定着材が、略円形、略矩形、略三角形、略台形、及び略楕円形等の横断面を有する鋼棒であることを特徴とするものである。
【００１６】
本願請求項１０に記載された防食被膜を有する鋼製部材は、前記請求項１から請求項９のいずれか１項の鋼製部材において、前記縁部定着材が、前記鋼製部材に連続的に又は非連続的に設けられた溶接ビードであることを特徴とするものである。
【００１７】
本願請求項１１に記載された防食被膜を有する鋼製部材は、前記請求項１から請求項１０のいずれか１項の鋼製部材において、前記防食被膜の前記左右端面、前記下端面、又は前記上端面のうち少なくとも１つに接触して設置された養生材をさらに備えていることを特徴とするものである。
【００１８】
本願請求項１２に記載された防食被膜を有する鋼製部材は、前記請求項３から請求項１１のいずれか１項の鋼製部材において、非連続的に設けられた前記縁部定着材の非連続部、又は非連続部とその近傍における前記鋼製部材の表面及び／又は背面に、凹凸が設けられていることを特徴とするものである。
【００１９】
本願請求項１３に記載された防食被膜を有する鋼製部材は、前記請求項３から請求項１１のいずれか１項の鋼製部材において、非連続的に設けられた前記縁部定着材の非連続部、又は非連続部とその近傍における前記鋼製部材の表面及び／又は背面に、連続又は非連続な溶接ビードによる凹凸が設けられていることを特徴とするものである。
【００２０】
本願請求項１４に記載された防食被膜を有する鋼製部材は、前記請求項３から請求項１３のいずれか１項の鋼製部材において、前記縁部定着材の非連続部にも、防食被膜が設けられていることを特徴とするものである。
【００２１】
本願請求項１５に記載された防食被膜を有する鋼製部材は、前記請求項２から請求項１４のいずれか１項の鋼製部材において、前記鋼製部材が、鋼矢板、鋼管杭、又は鋼管矢板のいずれかであることを特徴とするものである。
【００２２】
本願請求項１６に記載された防食被膜を有する鋼製部材は、前記請求項２から請求項１５のいずれか１項の鋼製部材において、前記防食被膜が、有機系経時硬化材料で形成されることを特徴とするものである。
【００２３】
本願請求項１７に記載された壁体構造物は、前記請求項２から請求項１６までのいずれか１項に記載された防食被膜を有する鋼製部材によって構成されることを特徴とするものである。
【００２４】
本願請求項１８に記載された壁体構造物は、前記請求項１７の壁体構造物において、前記防食被膜の前記下端面の位置が、干潮面下１ｍ以深又は平均干潮面以深のいずれかであることを特徴とするものである。
【００２５】
本願請求項１９に記載された、前記請求項２から請求項１６までのいずれか１項に記載された防食被膜を有する鋼製部材の製造方法は、前記鋼製部材に前記縁部定着材を固定する固定工程と、前記鋼製部材及び前記縁部定着材の少なくとも一方の少なくとも一部に粗化面及び凹凸面の少なくとも一方を形成する素地調整工程と、前記粗化面及び前記凹凸面の少なくとも一方を含む領域にプライマ層を形成するプライマ塗装工程と、前記プライマ層の上に前記防食被膜となる材料を塗布する塗布工程とを含むことを特徴とするものである。
【００２６】
本願請求項２０に記載された、前記請求項２から請求項１６までのいずれか１項に記載された防食被膜を有する鋼製部材によって構成される壁体構造物の施工方法は、前記防食被膜の前記下端面の位置を、干潮面下１ｍ以深又は平均干潮面以深のいずれかとなるように下方支持体中に埋設する工程を含むことを特徴とするものである。
【００２７】
本願請求項２１に記載された壁体構造物の施工方法は、前記請求項２０の施工方法において、前記下方支持体が、基礎地盤又はコンクリートフーチングであることを特徴とするものである。
【発明の効果】
【００２８】
本発明によれば、鋼製部材に縁部定着材を固定するにより、防食被膜を良好に定着させることができる。また、防食被膜の端面に養生材を設置することにより、防食被膜の吹き付け等による形成時に、防食被膜が計画設計範囲を逸脱しないようにすることができる。さらに、凸部材を用いて縁部定着材を鋼製部材に固定することにより、縁部定着材と鋼製部材との間の隙間にも防食被膜の材料を入り込ませることができるので、防食被膜の端部における定着力を一層向上させることが可能になる。
【図面の簡単な説明】
【００２９】
【図１】本発明の好ましい実施形態に係る防食被膜を有する鋼製部材を用いた壁体構造物が水域構造物の境界に設置されている状態を示した概略斜視図である。
【図２】図１に示される壁体構造物の一部を示した拡大斜視図である。
【図３】図３（ａ）は、鋼製部材として用いられるハット形鋼矢板を示した平面図、図３（ｂ）は、ハット形鋼矢板の嵌合個所を示した図である。
【図４】図４（ａ）は、縁部定着材が防食被膜の左右端面の内方に固定されている形態を示した鋼製部材の正面図、図４（ｂ）は、縁部定着材が防食被膜の左右端面及び下端面の内方に固定されている形態を示した鋼製部材の正面図、図４（ｃ）は、縁部定着材が防食被膜の左右端面、下端面及び上端面の内方に固定されている形態を示した鋼製部材の正面図である。
【図５】防食被膜の設置個所を例示的に示した模式図である。
【図６】本発明の第１の実施形態に係る防食被膜を有する鋼製部材を示した拡大断面図である。
【図７】本発明の第１の実施形態に係る防食被膜を有する鋼製部材の種々の変形例を示した拡大断面図である。
【図８】図６の防食被膜を有する鋼製部材において養生材を備えている形態を示した拡大断面図である。
【図９】図９（ａ）は、本発明の第２の実施形態に係る防食被膜を有する鋼製部材を示した拡大断面図、図９（ｂ）は、図９（ａ）の線９ｂ‐９ｂに沿って見た断面図、図９（ｃ）は、図９（ｂ）の線９ｃ‐９ｃに沿って見た断面図である。
【図１０】本発明の第２の実施形態に係る防食被膜を有する鋼製部材の変形例を示した拡大断面図である。
【図１１】図１１（ａ）は、継手付き鋼管矢板の表面の所定範囲に防食被膜が設置されている状態を示した平面図、図１１（ｂ）は、図１１（ａ）の線１１ｂ−１１ｂに沿って見た図、図１１（ｃ）は、図１１（ａ）の部分１１ｃの拡大図である。
【発明を実施するための形態】
【００３０】
（全体構成）
次に図面を参照して、本発明の好ましい実施形態に係る防食被膜を有する鋼製部材について説明する。図１は、本発明の好ましい実施形態に係る防食被膜を有する鋼製部材を用いた壁体構造物が水域構造物の境界に設置されている状態を示した概略斜視図、図２は、図１に示される壁体構造物の一部を示した拡大斜視図である。
【００３１】
図１において全体として参照符号１０で示される壁体構造物は、壁体１２を備えている。なお、図１において、壁体構造物１０の延長方向をｘ方向、垂直方向をｙ方向とする。
【００３２】
壁体１２は、多数の鋼製部材１４をｘ方向に嵌合させ又は配設させ、下方部を下方支持体中に埋設することによって形成される。下方支持体は、基礎地盤又はコンクリートフーチングである。基礎地盤には、改良土によって形成される地盤も含まれる。壁体１２の基礎地盤への埋設は、バイブロハンマによる振動打設、油圧ハンマによる衝撃打設、油圧圧入装置による圧入などによって行われる。
【００３３】
図１および図２に示される例では、鋼製部材１４として、ハット形鋼矢板が用いられている。
【００３４】
ハット形鋼矢板１４は、図３（ａ）に示されるように、土水圧等の荷重が作用した場合に主として曲げモーメントに抵抗するフランジ１４ａ、アーム部１４ｂ及び継手部１４ｃと、主としてせん断力に抵抗するウェブ１４ｄとを有している。より詳細に説明すると、ハット形鋼矢板１４では、フランジ１４ａの両縁部から外方に向かって拡がるように一対のウェブ１４ｄがそれぞれ連続して配置され、各ウェブ１４ｄにフランジ１４ａと略平行になるようにアーム部１４ｂがそれぞれ連続して配置されており、各アーム部１４ｂに継手部１４ｃがそれぞれ連続して設けられている。
【００３５】
ハット形鋼矢板１４の継手部１４ｃの一方には上方開口爪１４ｃ１が形成され、継手部１４ｃの他方には下方開口爪１４ｃ２が形成されている。上方開口爪１４ｃ１と下方開口爪１４ｃ２は、互いに相補する形状に形作られており、一方のハット形鋼矢板１４の継手部１４ｃの上方開口爪１４ｃ１に、隣接する他方のハット形鋼矢板１４の継手部１４ｃの下方開口爪１４ｃ２を嵌め込むことによって、或いは、一方のハット形鋼矢板１４の継手部１４ｃの下方開口爪１４ｃ２に、隣接する他方のハット形鋼矢板１４の継手部１４ｃの上方開口爪１４ｃ１を嵌め込むことによって、所望の枚数のハット形鋼矢板１４を嵌合させることができる。図３（ｂ）は、ハット形鋼矢板１４の継手部の嵌合個所を示した拡大図である。
【００３６】
（第１の実施形態）
鋼製部材１４は、図２及び図４（ａ）に示されるように、その表面の所定範囲に設置される防食被膜１６と、防食被膜１６の左右端面１６ａから内方に所定距離隔てた個所に垂直方向（ｙ方向）にそれぞれ延びるように鋼製部材１４に固定される一対の縁部定着材１８とを備えている。ここで、「内方」とは、防食被膜１６が存在する方向を意味しており、従って、縁部定着材１８は、防食被膜１６の内部に位置する（換言すると、防食被膜１６の内部に包含される）ことを意味する。
【００３７】
なお、防食被膜１６と縁部定着材１８は、鋼製部材１４の図２に示される面（以下「表面」という）と反対側に位置する面（以下「背面」という）に設けてもよいし、表面と背面の両方に設けてもよい。
【００３８】
縁部定着材１８は、防食被膜１６の左右端面１６ａから内方に所定距離隔てた個所に設けるものに加えて、防食被膜１６の下端面１６ｂから内方（上方）に所定距離隔てた個所（図４（ｂ）参照）にも設けてもよいし、さらに加えて防食被膜１６の上端面１６ｃから内方（下方）に所定距離隔てた個所（図４（ｃ）参照）に設けてもよい。
【００３９】
防食被膜１６は、主として腐食や摩耗に抵抗するため、副次的に外的アタック（漂流物や氷盤の衝突作用や摺動作用等）に抵抗するために設置される。防食被膜１６の材料としては、有機系経時硬化材料（ウレタン樹脂、エポキシ樹脂等）が用いられる。
【００４０】
防食被膜１６は基本的に、塗装機による吹き付け等の手段で形成される。また、塗装機による吹付けの補助的手段や、防食被膜面積が小さい場合には、ローラ塗りや刷毛塗り等も採用される。
【００４１】
防食被膜１６によって被覆される鋼製部材１４の表面の所定範囲Ｌは、構造設計や、設置環境（劣化環境、腐食環境、漂砂・流砂環境、漂流物環境等）によって決定されるものであり、例えば、所定範囲Ｌを、標準的な海洋環境において集中腐食が生ずるおそれのある干満帯付近や氷盤アタックをカバーする範囲に設定してもよい（図５(ａ)参照）。また、所定範囲Ｌを、例えば、波や河川流の影響による洗堀や流砂・漂砂を考慮する場合に、基礎地盤付近をカバーする範囲に設定してもよい（図５(ｂ)参照）。さらに、大きな曲げモーメントが作用する部位をカバーする範囲や、鋼製部材１４の変位を抑制するのに効果的な範囲に設定してもよい。なお、所定範囲Ｌを、鋼製部材１４の垂直方向の複数の部位に設定したり（図５(ｃ)参照）、鋼製部材１４の両面に設定してもよい（図５(ｄ)参照）。
【００４２】
鋼製部材１４は、防食被膜１６が接触する領域の全部又は一部に粗化面を有してもよい。また、縁部定着材１８は、防食被膜１６が接触する領域の全部又は一部に粗化面を有してもよい。粗化面を設けることにより、防食被膜１６の定着が一層良好になる。粗化面は、例えばサンドブラストやショットブラスト加工等により形成することができる。
【００４３】
鋼製部材１４は、防食被膜１６が接触する領域の全部又は一部に凹凸面を有してもよい。また、縁部定着材１８は、防食被膜１６が接触する領域の全部又は一部に凹凸面を有してもよい。凹凸面を設けることにより、防食被膜１６の定着が一層良好になる。凹凸面は、例えばローレット加工等により形成することができる。
【００４４】
縁部定着材１８は、防食被膜１６を鋼製部材１４に確実に定着させるために設置される。縁部定着材１８としては、図６に示されるように、例えば丸鋼が用いられる。縁部定着材１８の鋼製部材１６への固定は、溶接２０（連続溶接又は非連続溶接）又は機械的締結（ボルト止めなど）によって行われる。
【００４５】
縁部定着材１８は、図２及び図４に示されるように、連続的に設けてもよいし、非連続的（すなわち、断続的）に設けてもよい。なお、縁部定着材１８を非連続的に設ける場合には、良好な定着性を保持するため、連続部の長さを非連続部の長さよりも長くするのが好ましい。
【００４６】
非連続に設けた縁部定着材１８の非連続部、又は非連続部とその近傍における鋼製部材１４の表面及び／又は背面に、凹凸を設けてもよい。このような凹凸は、連続又は非連続な溶接ビードによって形成してもよい。このような凹凸を設けることにより、防食被膜１６の定着を一層向上させることができる。なお、非連続な縁部定着材１８を用いる場合には、非連続部にも防食被膜１６を設置するのが好ましい。
【００４７】
縁部定着材１８として、丸鋼の代わりに、図７に例示されるような他の横断面形状の鋼棒を使用してもよい。すなわち、図７（ａ）では、矩形横断面の鋼棒が鋼製部材１４の表面に一辺が接するように溶接２０によって固定されており、図７（ｂ）では、矩形横断面の鋼棒が鋼製部材１４の表面に一角部が接するように溶接２０によって固定されている。図７（ｃ）では、三角形横断面の鋼棒が鋼製部材１４の表面に一辺が接するように溶接２０によって固定されており、図７（ｄ）では、三角形横断面の鋼棒が鋼製部材１４の表面に一角部が接するように溶接２０によって固定されている。図７（ｅ）では、台形横断面の鋼棒が鋼製部材１４の表面に長辺が接するように溶接２０によって固定されており、図７（ｆ）では、台形横断面の鋼棒が鋼製部材１４の表面に短辺が接するように溶接２０によって固定されている。他の横断面形状（例えば、楕円横断面形状）の鋼棒を縁部定着材１８として用いてもよい。なお、溶接２０は、縁部定着材１８の内側の隅部にではなく、図示されているように縁部定着材１８の外側の隅部（図では、端面１６ａの側の隅部）に設置するのがよい。これは、溶接２０が冷却すると収縮して、縁部定着材１８が図７（ｇ）のように変形し、防食被膜１６の材料が入り込む隙間ができるからである。
【００４８】
縁部定着材１８は、計画設計防食被膜（図６及び図７においてＡ‐Ａ線で図示）の外側に設置するのが望ましい。
【００４９】
防食被膜１６が計画設計範囲を逸脱しないように、防食被膜１６の左右端面１６ａに接触するように養生材２２が設置される（図８参照）。同様に、防食被膜１６の下端面１６ｂ、上端面１６ｃに養生材２２が設置される。なお、養生材２２の高さは、図８（ａ）に示されるように、防食被膜１６よりも少し高くなるように選定するのが好ましい。図８（ｂ）は、養生材２２が設置される別の形態を示した図である。通常、養生材２２は、有機系経時硬化材料（ウレタン樹脂、エポキシ樹脂等）を塗装機による吹き付け等の手段で配設した後、適時タイミングで撤去される場合が多いが、特段の支障がなければ残置しておいてもよい。
【００５０】
養生材２２には様々なものがある。防食被膜１６が薄い場合には、ガムテープのような薄いものでもよいが、１、２回の吹き付けで２〜３ｍｍという厚さの防食被膜１６を形成する場合には、有機系経時硬化材料の流れやタレを防止するために、厚めの養生材２２が使用される。図８に示される例では、養生材２２として、接着剤２２ａ付きの弾性発泡体（スポンジ等）が用いられている。
【００５１】
（第２の実施形態）
第１の実施形態では、縁部定着材１８が鋼製部材１４に直接固定されているが、第２の実施形態では、縁部定着材１８は、鋼製部材１４に間接的に固定されている。すなわち、図９（ａ）に示される第２の実施形態では、縁部定着材１８は、鋼製部材１４に固定された凸部材２３に固定されることによって、鋼製部材１４に固定されている。
【００５２】
凸部材２３を用いて縁部定着材１８を鋼製部材１４に固定すると、縁部定着材１８が鋼製部材１４に接触せずに離間するため、縁部定着材１８と鋼製部材１４との間の隙間にも防食被膜１６の材料が入り込み、防食被膜１６の端部における定着力が一層向上する。
【００５３】
凸部材２３は、縁部定着材１８と鋼製部材１４との間の隙間を設けるために、非連続的に設けられる。凸部材２３は、溶接ビードで代用してもよいし、新たに準備した部材を鋼製部材１４に溶接等で固定して凸部材としてもよい。図９（ｂ）には、非連続的に設けた溶接ビードを凸部材２３として用いる例が示されている。図９（ｃ）には、凸部材２３がない個所では、鋼製部材１４の表面と縁部定着材１８の下面との間に隙間が生じ、隙間の間に防食被膜１６の材料が入り込んでいる状態が図示されている。
【００５４】
また、図１０に示されるように、鋼製部材１４の表面に連続的又は非連続的に設けた溶接ビードを縁部定着材１８として用いてもよい。
【００５５】
鋼製部材１４としてハット形鋼矢板を用いた例について説明してきたが、他の鋼矢板（例えば、Ｕ形鋼矢板）を用いる場合においても、上述の実施形態と同様である。
【００５６】
また、鋼製部材として、鋼矢板の代わりに、鋼管杭や鋼管矢板を用いてもよい。図１１（ａ）は、鋼製部材（継手付き鋼管矢板）２４の表面の所定範囲に鋼製部材２４の表面の形状にほぼ合致するように、防食被膜２６が設置されている状態を示した平面図である。すなわち、鋼製部材２４は、その表面の所定範囲に設置される防食被膜２６と、防食被膜２６の左右端面２６ａから内方に所定距離隔てた個所に垂直方向にそれぞれ延びるように固定される一対の縁部定着材２８とを備えている。
【００５７】
鋼製部材として鋼管杭や鋼管矢板を用いる場合においても、鋼矢板を用いる前記実施形態と同様に、養生材を設置してもよい、また、図１１（ｂ）では、縁部定着材２８が防食被膜２６の左右端面２６ａに隣接した個所のみに固定されているが、縁部定着材２８を防食被膜２６の下端面２６ｂ、上端面２６ｃに隣接した個所に固定してもよい。縁部定着材２８の鋼製部材２４への固定は、溶接（連続溶接又は非連続溶接）又は機械的締結（ボルト止めなど）によって行われる。また、縁部定着材２８は、縁部定着材１８と同様に、連続的に設けてもよいし、非連続的（すなわち、断続的）に設けてもよい。また、鋼製部材２４にも、鋼製部材１４と同様に、粗化面や凹凸面を設けてもよいし、非連続に設けた縁部定着材２８の非連続部、又は非連続部とその近傍における鋼製部材２４の表面及び／又は背面に、凹凸を設けてもよい。さらに、縁部定着材を凸部材を用いて鋼製部材２４に間接的に固定してもよいし、溶接ビードを縁部定着材として用いてもよい。
【００５８】
（鋼製部材の製造方法）
防食被膜を有する鋼製部材の製造方法について説明する。まず、鋼製部材１４、２４に縁部定着材１８、２８を所要の方法で固定する（固定工程）。次いで、  鋼製部材１４、２４及び縁部定着材１８、２８の少なくとも一方の少なくとも一部に粗化面及び凹凸面の少なくとも一方を形成する（素地調整工程）。次いで、  前記粗化面及び前記凹凸面の少なくとも一方を含む領域に、防錆性、密着性を高めるために、有機ジンクリッチペイント等の下塗塗料を塗布してプライマ層を形成する（プライマ塗装工程）。そして、前記プライマ層の上に防食被膜となる材料を塗布する（塗布工程）ことによって、防食被膜を有する鋼製部材が製造される。固定工程と塗布工程との間で、養生材２２が設置される。なお、素地調整工程及びプライマ塗装工程は、必須の工程ではない。
【００５９】
（壁体構造物の施工方法）
防食被膜を有する鋼製部材１４、２４によって構成される壁体構造物の施工は、防食被膜１６、２６の下端面の位置が干潮面下１ｍ以深又は平均干潮面以深のいずれかとなるように鋼製部材を下方支持体中に埋設することによって、施工される。
【００６０】
本発明は、以上の発明の実施の形態に限定されることなく、特許請求の範囲に記載された発明の範囲内で、種々の変更が可能であり、それらも本発明の範囲内に包含されるものであることはいうまでもない。
【００６１】
例えば、添付図面に図示された防食被膜１６、２６の厚さ、縁部定着材１８、２８の近傍の防食被膜１６、２６の表面形状、縁部定着材１８、２８の寸法や形状、配置個所の細部等は、単なる例示的なものにすぎない。縁部定着材１８、２８の近傍の防食被膜１６、２６の端面は、養生材２２の形状や設置位置によって種々の形状にすることができる。
【００６２】
また、前記実施形態では、水域構造物の境界に設置される場合に関連して説明されているが、陸域構造物の境界に設置される場合や、他の一般的な鋼製構造物（屋外に設置される土木・建築鋼構造物、配管やタンク等の鋼製プラント施設等）においても、本発明の防護被膜を有する鋼製部材を使用することができる。
【符号の説明】
【００６３】
１０  壁体構造物
１２  壁体
１４  鋼製部材（ハット形鋼矢板）
１６  防食被膜
１６ａ  左右端面
１６ｂ  下端面
１６ｃ  上端面
１８  縁部定着材
２０  溶接
２２  養生材
２３  凸部材
２４  鋼製部材（鋼管矢板）
２６  防食被膜
２８  縁部定着材
【図１】
2020176418.tif 000003
【図２】
2020176418.tif 000004
【図３】
2020176418.tif 000005
【図４】
2020176418.tif 000006
【図５】
2020176418.tif 000007
【図６】
2020176418.tif 000008
【図７】
2020176418.tif 000009
【図８】
2020176418.tif 000010
【図９】
2020176418.tif 000011
【図１０】
2020176418.tif 000012
【図１１】
2020176418.tif 000013
【手続補正書】
【提出日】令和1年8月23日(2019.8.23)
【手続補正１】
【補正対象書類名】特許請求の範囲
【補正対象項目名】全文
【補正方法】変更
【補正の内容】
【特許請求の範囲】
【請求項１】
鋼製部材の所定範囲に平面的に所定形状を有する防食被膜と、
前記防食被膜の所定の縁部の端面から内方に所定間隔隔てた個所に前記鋼製部材に固定され、前記防食被膜を前記鋼製部材に定着させるための縁部定着材と、
を備えていることを特徴とする防食被膜を有する鋼製部材。
【請求項２】
前記個所が、計画設計防食被膜の外側に位置することを特徴とする請求項１に記載された防食被膜を有する鋼製部材。
【請求項３】
前記鋼製部材が、水域構造物又は陸域構造物の前面側と背面側との境界に設けられ、前記鋼製部材の表面及び／又は背面の所定範囲に設置される防食被膜と、  前記防食被膜を前記鋼製部材に定着させるための縁部定着材とを備えていることを特徴とする請求項１又は２に記載された防食被膜を有する鋼製部材。
【請求項４】
前記縁部定着材が、前記防食被膜の左右端面から内方に所定距離隔てた個所に垂直方向に連続的又は非連続的にそれぞれ延びるように前記鋼製部材に固定されていることを特徴とする請求項１から請求項３までのいずれか１項に記載された防食被膜を有する鋼製部材。
【請求項５】
前記縁部定着材が、前記防食被膜の下端面から上方に所定距離隔てた個所に水平方向に連続的又は非連続的に延びるように前記鋼製部材に固定されていることを特徴とする請求項１から請求項４までのいずれか１項に記載された防食被膜を有する鋼製部材。
【請求項６】
前記縁部定着材が、前記防食被膜の上端面から下方に所定距離隔てた個所に水平方向に連続的又は非連続的に延びるように前記鋼製部材に固定されていることを特徴とする請求項１から請求項５までのいずれか１項に記載された防食被膜を有する鋼製部材。
【請求項７】
前記縁部定着材が、前記鋼製部材に連続的に又は非連続的に固定された凸部材に固定されることによって、前記鋼製部材に間接的に固定されていることを特徴とする請求項１から請求項６までのいずれか１項に記載された防食被膜を有する鋼製部材。
【請求項８】
前記縁部定着材の前記防食被膜への固定が、溶接又は機械的締結によって行われることを特徴とする請求項１から請求項７までのいずれか１項に記載された防食被膜を有する鋼製部材。
【請求項９】
前記鋼製部材及び前記縁部定着材の少なくとも一方は、前記防食被膜が接触する領域の全部又は一部に、粗化面及び凹凸面の少なくとも一方を有していることを特徴とする請求項１から請求項８までのいずれか１項に記載された防食被膜を有する鋼製部材。
【請求項１０】
前記縁部定着材が、略円形、略矩形、略三角形、略台形、又は略楕円形のいずれかの横断面を有する鋼棒であることを特徴とする請求項１から請求項９までのいずれか１項に記載された防食被膜を有する鋼製部材。
【請求項１１】
前記縁部定着材が、前記鋼製部材に連続的に又は非連続的に設けられた溶接ビードであることを特徴とする請求項１から請求項９までのいずれか１項に記載された防食被膜を有する鋼製部材。
【請求項１２】
前記防食被膜の左右端面、下端面、又は上端面に接触して設置された養生材をさらに備えていることを特徴とする請求項１から請求項１１までのいずれか１項に記載された防食被膜を有する鋼製部材。
【請求項１３】
非連続的に設けられた前記縁部定着材の非連続部、又は非連続部とその近傍における前記鋼製部材の表面及び／又は背面に、凹凸が設けられていることを特徴とする請求項４から請求項１２までのいずれか１項に記載された防食被膜を有する鋼製部材。
【請求項１４】
非連続的に設けられた前記縁部定着材の非連続部、又は非連続部とその近傍における前記鋼製部材の表面及び／又は背面に、連続又は非連続な溶接ビードによる凹凸が設けられていることを特徴とする請求項４から請求項１２までのいずれか１項に記載された防食被膜を有する鋼製部材。
【請求項１５】
前記縁部定着材の非連続部にも、防食被膜が設けられていることを特徴とする請求項４から請求項１４までのいずれか１項に記載された防食被膜を有する鋼製部材。
【請求項１６】
前記鋼製部材が、鋼矢板、鋼管杭、又は鋼管矢板のいずれかであることを特徴とする請求項３から請求項１５までのいずれか１項に記載された防食被膜を有する鋼製部材。
【請求項１７】
前記防食被膜が、有機系経時硬化材料で形成されることを特徴とする請求項３から請求項１６までのいずれか１項に記載された防食被膜を有する鋼製部材。
【請求項１８】
請求項３から請求項１７までのいずれか１項に記載された防食被膜を有する鋼製部材によって構成される壁体構造物。
【請求項１９】
前記防食被膜の下端面の位置が、干潮面下１ｍ以深又は平均干潮面以深のいずれかであることを特徴とする請求項１８に記載された壁体構造物。
【請求項２０】
請求項３から請求項１７までのいずれか１項に記載された防食被膜を有する鋼製部材の製造方法であって、
前記鋼製部材に前記縁部定着材を固定する固定工程と、
前記鋼製部材及び前記縁部定着材の少なくとも一方の少なくとも一部に粗化面及び凹凸面の少なくとも一方を形成する素地調整工程と、
前記粗化面及び前記凹凸面の少なくとも一方を含む領域にプライマ層を形成するプライマ塗装工程と、
前記プライマ層の上に前記防食被膜となる材料を塗布する塗布工程と、
を含むことを特徴とする防食被膜を有する鋼製部材の製造方法。
【請求項２１】
請求項３から請求項１７までのいずれか１項に記載された防食被膜を有する鋼製部材によって構成される壁体構造物の施工方法であって、
前記防食被膜の下端面の位置を、干潮面下１ｍ以深又は平均干潮面以深のいずれかとなるように下方支持体中に埋設する工程を含むことを特徴とする防食被膜を有する鋼製部材によって構成される壁体構造物の施工方法。
【請求項２２】
前記下方支持体が、基礎地盤又はコンクリートフーチングであることを特徴とする請求項２１に記載された防食被膜を有する鋼製部材によって構成される壁体構造物の施工方法。
【手続補正２】
【補正対象書類名】明細書
【補正対象項目名】０００７
【補正方法】変更
【補正の内容】
【０００７】
本願請求項１に記載された防食被膜を有する鋼製部材は、鋼製部材の所定範囲に平面的に所定形状を有する防食被膜と、前記防食被膜の所定の縁部の端面から内方に所定間隔隔てた個所に前記鋼製部材に固定され、前記防食被膜を前記鋼製部材に定着させるための縁部定着材とを備えていることを特徴とするものである。
本願請求項２に記載された防食被膜を有する鋼製部材は、前記請求項１の鋼製部材において、前記個所が、計画設計防食被膜の外側に位置することを特徴とするものである。
【手続補正３】
【補正対象書類名】明細書
【補正対象項目名】０００８
【補正方法】変更
【補正の内容】
【０００８】
本願請求項３に記載された防食被膜を有する鋼製部材は、前記請求項１又は２の鋼製部材において、前記鋼製部材が、防水域構造物又は陸域構造物の前面側と背面側との境界に設けられ、前記鋼製部材の表面及び／又は背面の所定範囲に設置される防食被膜と、前記防食被膜を前記鋼製部材に定着させるための縁部定着材とを備えていることを特徴とするものである。
【手続補正４】
【補正対象書類名】明細書
【補正対象項目名】０００９
【補正方法】変更
【補正の内容】
【０００９】
本願請求項４に記載された防食被膜を有する鋼製部材は、前記請求項１から請求項３のいずれか１項の鋼製部材において、前記縁部定着材が、前記防食被膜の左右端面から内方に所定距離隔てた個所に垂直方向に連続的又は非連続的にそれぞれ延びるように前記鋼製部材に固定されていることを特徴とするものである。
【手続補正５】
【補正対象書類名】明細書
【補正対象項目名】００１０
【補正方法】変更
【補正の内容】
【００１０】
本願請求項５に記載された防食被膜を有する鋼製部材は、前記請求項１から請求項４のいずれか１項の鋼製部材において、前記縁部定着材が、前記防食被膜の下端面から上方に所定距離隔てた個所に水平方向に連続的又は非連続的に延びるように前記鋼製部材に固定されていることを特徴とするものである。
【手続補正６】
【補正対象書類名】明細書
【補正対象項目名】００１１
【補正方法】変更
【補正の内容】
【００１１】
本願請求項６に記載された防食被膜を有する鋼製部材は、前記請求項１から請求項５のいずれか１項の鋼製部材において、前記縁部定着材が、前記防食被膜の上端面から下方に所定距離隔てた個所に水平方向に連続的又は非連続的に延びるように前記鋼製部材に固定されていることを特徴とするものである。
【手続補正７】
【補正対象書類名】明細書
【補正対象項目名】００１２
【補正方法】変更
【補正の内容】
【００１２】
本願請求項７に記載された防食被膜を有する鋼製部材は、前記請求項１から請求項６のいずれか１項の鋼製部材において、前記縁部定着材が、前記鋼製部材に連続的に又は非連続的に固定された凸部材に固定されることによって、前記鋼製部材に間接的に固定されていることを特徴とするものである。
【手続補正８】
【補正対象書類名】明細書
【補正対象項目名】００１３
【補正方法】変更
【補正の内容】
【００１３】
本願請求項８に記載された防食被膜を有する鋼製部材は、前記請求項１から請求項７のいずれか１項の鋼製部材において、前記縁部定着材の前記防食被膜への固定が、溶接又は機械的締結によって行われることを特徴とするものである。
【手続補正９】
【補正対象書類名】明細書
【補正対象項目名】００１４
【補正方法】変更
【補正の内容】
【００１４】
本願請求項９に記載された防食被膜を有する鋼製部材は、前記請求項１から請求項８のいずれか１項の鋼製部材において、前記鋼製部材及び前記縁部定着材の少なくとも一方は、前記防食被膜が接触する領域の全部又は一部に、粗化面及び凹凸面の少なくとも一方を有していることを特徴とするものである。
【手続補正１０】
【補正対象書類名】明細書
【補正対象項目名】００１５
【補正方法】変更
【補正の内容】
【００１５】
本願請求項１０に記載された防食被膜を有する鋼製部材は、前記請求項１から請求項９のいずれか１項の鋼製部材において、前記縁部定着材が、略円形、略矩形、略三角形、略台形、又は略楕円形のいずれかの横断面を有する鋼棒であることを特徴とするものである。
【手続補正１１】
【補正対象書類名】明細書
【補正対象項目名】００１６
【補正方法】変更
【補正の内容】
【００１６】
本願請求項１１に記載された防食被膜を有する鋼製部材は、前記請求項１から請求項９のいずれか１項の鋼製部材において、前記縁部定着材が、前記鋼製部材に連続的に又は非連続的に設けられた溶接ビードであることを特徴とするものである。
【手続補正１２】
【補正対象書類名】明細書
【補正対象項目名】００１７
【補正方法】変更
【補正の内容】
【００１７】
本願請求項１２に記載された防食被膜を有する鋼製部材は、前記請求項１から請求項１１のいずれか１項の鋼製部材において、前記防食被膜の左右端面、下端面、又は上端面のうち少なくとも１つに接触して設置された養生材をさらに備えていることを特徴とするものである。
【手続補正１３】
【補正対象書類名】明細書
【補正対象項目名】００１８
【補正方法】変更
【補正の内容】
【００１８】
本願請求項１３に記載された防食被膜を有する鋼製部材は、前記請求項４から請求項１２のいずれか１項の鋼製部材において、非連続的に設けられた前記縁部定着材の非連続部、又は非連続部とその近傍における前記鋼製部材の表面及び／又は背面に、凹凸が設けられていることを特徴とするものである。
【手続補正１４】
【補正対象書類名】明細書
【補正対象項目名】００１９
【補正方法】変更
【補正の内容】
【００１９】
本願請求項１４に記載された防食被膜を有する鋼製部材は、前記請求項４から請求項１２のいずれか１項の鋼製部材において、非連続的に設けられた前記縁部定着材の非連続部、又は非連続部とその近傍における前記鋼製部材の表面及び／又は背面に、連続又は非連続な溶接ビードによる凹凸が設けられていることを特徴とするものである。
【手続補正１５】
【補正対象書類名】明細書
【補正対象項目名】００２０
【補正方法】変更
【補正の内容】
【００２０】
本願請求項１５に記載された防食被膜を有する鋼製部材は、前記請求項４から請求項１４のいずれか１項の鋼製部材において、前記縁部定着材の非連続部にも、防食被膜が設けられていることを特徴とするものである。
【手続補正１６】
【補正対象書類名】明細書
【補正対象項目名】００２１
【補正方法】変更
【補正の内容】
【００２１】
本願請求項１６に記載された防食被膜を有する鋼製部材は、前記請求項３から請求項１５のいずれか１項の鋼製部材において、前記鋼製部材が、鋼矢板、鋼管杭、又は鋼管矢板のいずれかであることを特徴とするものである。
【手続補正１７】
【補正対象書類名】明細書
【補正対象項目名】００２２
【補正方法】変更
【補正の内容】
【００２２】
本願請求項１７に記載された防食被膜を有する鋼製部材は、前記請求項３から請求項１６のいずれか１項の鋼製部材において、前記防食被膜が、有機系経時硬化材料で形成されることを特徴とするものである。
【手続補正１８】
【補正対象書類名】明細書
【補正対象項目名】００２３
【補正方法】変更
【補正の内容】
【００２３】
本願請求項１８に記載された壁体構造物は、前記請求項３から請求項１７までのいずれか１項に記載された防食被膜を有する鋼製部材によって構成されることを特徴とするものである。
【手続補正１９】
【補正対象書類名】明細書
【補正対象項目名】００２４
【補正方法】変更
【補正の内容】
【００２４】
本願請求項１９に記載された壁体構造物は、前記請求項１８の壁体構造物において、前記防食被膜の下端面の位置が、干潮面下１ｍ以深又は平均干潮面以深のいずれかであることを特徴とするものである。
【手続補正２０】
【補正対象書類名】明細書
【補正対象項目名】００２５
【補正方法】変更
【補正の内容】
【００２５】
本願請求項２０に記載された、前記請求項３から請求項１７までのいずれか１項に記載された防食被膜を有する鋼製部材の製造方法は、前記鋼製部材に前記縁部定着材を固定する固定工程と、前記鋼製部材及び前記縁部定着材の少なくとも一方の少なくとも一部に粗化面及び凹凸面の少なくとも一方を形成する素地調整工程と、前記粗化面及び前記凹凸面の少なくとも一方を含む領域にプライマ層を形成するプライマ塗装工程と、前記プライマ層の上に前記防食被膜となる材料を塗布する塗布工程とを含むことを特徴とするものである。
【手続補正２１】
【補正対象書類名】明細書
【補正対象項目名】００２６
【補正方法】変更
【補正の内容】
【００２６】
本願請求項２１に記載された、前記請求項３から請求項１７までのいずれか１項に記載された防食被膜を有する鋼製部材によって構成される壁体構造物の施工方法は、前記防食被膜の下端面の位置を、干潮面下１ｍ以深又は平均干潮面以深のいずれかとなるように下方支持体中に埋設する工程を含むことを特徴とするものである。
【手続補正２２】
【補正対象書類名】明細書
【補正対象項目名】００２７
【補正方法】変更
【補正の内容】
【００２７】
本願請求項２２に記載された壁体構造物の施工方法は、前記請求項２１の施工方法において、前記下方支持体が、基礎地盤又はコンクリートフーチングであることを特徴とするものである。
【手続補正書】
【提出日】令和2年3月31日(2020.3.31)
【手続補正１】
【補正対象書類名】特許請求の範囲
【補正対象項目名】全文
【補正方法】変更
【補正の内容】
【特許請求の範囲】
【請求項１】
鋼製部材の所定範囲に平面的に所定形状を有する防食被膜と、
前記防食被膜の所定の縁部の端面から内方に所定間隔隔てた個所に連続的又は非連続的に設置されるように前記鋼製部材に固定され、前記防食被膜を前記鋼製部材に定着させるための縁部定着材とを備え、
前記非連続的に設置された前記縁部定着材において連続部の長さが非連続部の長さよりも長く、
前記個所が、計画設計防食被膜の外側に位置していることを特徴とする防食被膜を有する鋼製部材。
【請求項２】
前記鋼製部材が、水域構造物又は陸域構造物の前面側と背面側との境界に設けられ、前記鋼製部材の表面及び／又は背面の所定範囲に設置される防食被膜と、  前記防食被膜を前記鋼製部材に定着させるための縁部定着材とを備えていることを特徴とする請求項１に記載された防食被膜を有する鋼製部材。
【請求項３】
前記縁部定着材が、前記防食被膜の左右端面から内方に所定距離隔てた個所に垂直方向にそれぞれ延びるように前記鋼製部材に固定されていることを特徴とする請求項１又は２に記載された防食被膜を有する鋼製部材。
【請求項４】
前記縁部定着材が、前記防食被膜の下端面から上方に所定距離隔てた個所に水平方向に延びるように前記鋼製部材に固定されていることを特徴とする請求項１から請求項３までのいずれか１項に記載された防食被膜を有する鋼製部材。
【請求項５】
前記縁部定着材が、前記防食被膜の上端面から下方に所定距離隔てた個所に水平方向に延びるように前記鋼製部材に固定されていることを特徴とする請求項１から請求項４までのいずれか１項に記載された防食被膜を有する鋼製部材。
【請求項６】
前記縁部定着材が、前記鋼製部材に連続的に又は非連続的に固定された凸部材に固定されることによって、前記鋼製部材に間接的に固定されていることを特徴とする請求項１から請求項５までのいずれか１項に記載された防食被膜を有する鋼製部材。
【請求項７】
前記縁部定着材の前記鋼製部材への固定が、溶接又は機械的締結によって行われることを特徴とする請求項１から請求項６までのいずれか１項に記載された防食被膜を有する鋼製部材。
【請求項８】
前記鋼製部材及び前記縁部定着材の少なくとも一方は、前記防食被膜が接触する領域の全部又は一部に、粗化面及び凹凸面の少なくとも一方を有していることを特徴とする請求項１から請求項７までのいずれか１項に記載された防食被膜を有する鋼製部材。
【請求項９】
前記縁部定着材が、略円形、略矩形、略三角形、略台形、又は略楕円形のいずれかの横断面を有する鋼棒であることを特徴とする請求項１から請求項８までのいずれか１項に記載された防食被膜を有する鋼製部材。
【請求項１０】
前記縁部定着材が、前記鋼製部材に連続的に又は非連続的に設けられた溶接ビードであることを特徴とする請求項１から請求項８までのいずれか１項に記載された防食被膜を有する鋼製部材。
【請求項１１】
前記防食被膜の左右端面、下端面、又は上端面に接触して設置された養生材をさらに備えていることを特徴とする請求項１から請求項１０までのいずれか１項に記載された防食被膜を有する鋼製部材。
【請求項１２】
非連続的に設けられた前記縁部定着材の非連続部、又は非連続部とその近傍における前記鋼製部材の表面及び／又は背面に、凹凸が設けられていることを特徴とする請求項３から請求項１１までのいずれか１項に記載された防食被膜を有する鋼製部材。
【請求項１３】
非連続的に設けられた前記縁部定着材の非連続部、又は非連続部とその近傍における前記鋼製部材の表面及び／又は背面に、連続又は非連続な溶接ビードによる凹凸が設けられていることを特徴とする請求項３から請求項１１までのいずれか１項に記載された防食被膜を有する鋼製部材。
【請求項１４】
前記縁部定着材の非連続部にも、防食被膜が設けられていることを特徴とする請求項３から請求項１３までのいずれか１項に記載された防食被膜を有する鋼製部材。
【請求項１５】
前記鋼製部材が、鋼矢板、鋼管杭、又は鋼管矢板のいずれかであることを特徴とする請求項２から請求項１４までのいずれか１項に記載された防食被膜を有する鋼製部材。
【請求項１６】
前記防食被膜が、有機系経時硬化材料で形成されることを特徴とする請求項２から請求項１５までのいずれか１項に記載された防食被膜を有する鋼製部材。
【請求項１７】
請求項２から請求項１６までのいずれか１項に記載された防食被膜を有する鋼製部材によって構成される壁体構造物。
【請求項１８】
前記防食被膜の下端面の位置が、干潮面下１ｍ以深又は平均干潮面以深のいずれかであることを特徴とする請求項１７に記載された壁体構造物。
【請求項１９】
請求項２から請求項１６までのいずれか１項に記載された防食被膜を有する鋼製部材の製造方法であって、
前記鋼製部材に前記縁部定着材を固定する固定工程と、
前記鋼製部材及び前記縁部定着材の少なくとも一方の少なくとも一部に粗化面及び凹凸面の少なくとも一方を形成する素地調整工程と、
前記粗化面及び前記凹凸面の少なくとも一方を含む領域にプライマ層を形成するプライマ塗装工程と、
前記プライマ層の上に前記防食被膜となる材料を塗布する塗布工程と、
を含むことを特徴とする防食被膜を有する鋼製部材の製造方法。
【請求項２０】
請求項２から請求項１６までのいずれか１項に記載された防食被膜を有する鋼製部材によって構成される壁体構造物の施工方法であって、
前記防食被膜の下端面の位置を、干潮面下１ｍ以深又は平均干潮面以深のいずれかとなるように下方支持体中に埋設する工程を含むことを特徴とする防食被膜を有する鋼製部材によって構成される壁体構造物の施工方法。
【請求項２１】
前記下方支持体が、基礎地盤又はコンクリートフーチングであることを特徴とする請求項２０に記載された防食被膜を有する鋼製部材によって構成される壁体構造物の施工方法。
【手続補正２】
【補正対象書類名】明細書
【補正対象項目名】０００７
【補正方法】変更
【補正の内容】
【０００７】
本願請求項１に記載された防食被膜を有する鋼製部材は、鋼製部材の所定範囲に平面的に所定形状を有する防食被膜と、前記防食被膜の所定の縁部の端面から内方に所定間隔隔てた個所に連続的又は非連続的に設置されるように前記鋼製部材に固定され、前記防食被膜を前記鋼製部材に定着させるための縁部定着材とを備え、前記非連続的に設置された前記縁部定着材において連続部の長さが非連続部の長さよりも長く、前記個所が、計画設計防食被膜の外側に位置していることを特徴とするものである。
【手続補正３】
【補正対象書類名】明細書
【補正対象項目名】０００８
【補正方法】変更
【補正の内容】
【０００８】
本願請求項２に記載された防食被膜を有する鋼製部材は、前記請求項１の鋼製部材において、前記鋼製部材が、防水域構造物又は陸域構造物の前面側と背面側との境界に設けられ、前記鋼製部材の表面及び／又は背面の所定範囲に設置される防食被膜と、前記防食被膜を前記鋼製部材に定着させるための縁部定着材とを備えていることを特徴とするものである。
【手続補正４】
【補正対象書類名】明細書
【補正対象項目名】０００９
【補正方法】変更
【補正の内容】
【０００９】
本願請求項３に記載された防食被膜を有する鋼製部材は、前記請求項１又は２の鋼製部材において、前記縁部定着材が、前記防食被膜の左右端面から内方に所定距離隔てた個所に垂直方向にそれぞれ延びるように前記鋼製部材に固定されていることを特徴とするものである。
【手続補正５】
【補正対象書類名】明細書
【補正対象項目名】００１０
【補正方法】変更
【補正の内容】
【００１０】
本願請求項４に記載された防食被膜を有する鋼製部材は、前記請求項１から請求項３のいずれか１項の鋼製部材において、前記縁部定着材が、前記防食被膜の下端面から上方に所定距離隔てた個所に水平方向に延びるように前記鋼製部材に固定されていることを特徴とするものである。
【手続補正６】
【補正対象書類名】明細書
【補正対象項目名】００１１
【補正方法】変更
【補正の内容】
【００１１】
本願請求項５に記載された防食被膜を有する鋼製部材は、前記請求項１から請求項４のいずれか１項の鋼製部材において、前記縁部定着材が、前記防食被膜の上端面から下方に所定距離隔てた個所に水平方向に延びるように前記鋼製部材に固定されていることを特徴とするものである。
【手続補正７】
【補正対象書類名】明細書
【補正対象項目名】００１２
【補正方法】変更
【補正の内容】
【００１２】
本願請求項６に記載された防食被膜を有する鋼製部材は、前記請求項１から請求項５のいずれか１項の鋼製部材において、前記縁部定着材が、前記鋼製部材に連続的に又は非連続的に固定された凸部材に固定されることによって、前記鋼製部材に間接的に固定されていることを特徴とするものである。
【手続補正８】
【補正対象書類名】明細書
【補正対象項目名】００１３
【補正方法】変更
【補正の内容】
【００１３】
本願請求項７に記載された防食被膜を有する鋼製部材は、前記請求項１から請求項６のいずれか１項の鋼製部材において、前記縁部定着材の前記鋼製鋼材への固定が、溶接又は機械的締結によって行われることを特徴とするものである。
【手続補正９】
【補正対象書類名】明細書
【補正対象項目名】００１４
【補正方法】変更
【補正の内容】
【００１４】
本願請求項８に記載された防食被膜を有する鋼製部材は、前記請求項１から請求項７のいずれか１項の鋼製部材において、前記鋼製部材及び前記縁部定着材の少なくとも一方は、前記防食被膜が接触する領域の全部又は一部に、粗化面及び凹凸面の少なくとも一方を有していることを特徴とするものである。
【手続補正１０】
【補正対象書類名】明細書
【補正対象項目名】００１５
【補正方法】変更
【補正の内容】
【００１５】
本願請求項９に記載された防食被膜を有する鋼製部材は、前記請求項１から請求項８のいずれか１項の鋼製部材において、前記縁部定着材が、略円形、略矩形、略三角形、略台形、又は略楕円形のいずれかの横断面を有する鋼棒であることを特徴とするものである。
【手続補正１１】
【補正対象書類名】明細書
【補正対象項目名】００１６
【補正方法】変更
【補正の内容】
【００１６】
本願請求項１０に記載された防食被膜を有する鋼製部材は、前記請求項１から請求項８のいずれか１項の鋼製部材において、前記縁部定着材が、前記鋼製部材に連続的に又は非連続的に設けられた溶接ビードであることを特徴とするものである。
【手続補正１２】
【補正対象書類名】明細書
【補正対象項目名】００１７
【補正方法】変更
【補正の内容】
【００１７】
本願請求項１１に記載された防食被膜を有する鋼製部材は、前記請求項１から請求項１０のいずれか１項の鋼製部材において、前記防食被膜の左右端面、下端面、又は上端面のうち少なくとも１つに接触して設置された養生材をさらに備えていることを特徴とするものである。
【手続補正１３】
【補正対象書類名】明細書
【補正対象項目名】００１８
【補正方法】変更
【補正の内容】
【００１８】
本願請求項１２に記載された防食被膜を有する鋼製部材は、前記請求項３から請求項１１のいずれか１項の鋼製部材において、非連続的に設けられた前記縁部定着材の非連続部、又は非連続部とその近傍における前記鋼製部材の表面及び／又は背面に、凹凸が設けられていることを特徴とするものである。
【手続補正１４】
【補正対象書類名】明細書
【補正対象項目名】００１９
【補正方法】変更
【補正の内容】
【００１９】
本願請求項１３に記載された防食被膜を有する鋼製部材は、前記請求項３から請求項１１のいずれか１項の鋼製部材において、非連続的に設けられた前記縁部定着材の非連続部、又は非連続部とその近傍における前記鋼製部材の表面及び／又は背面に、連続又は非連続な溶接ビードによる凹凸が設けられていることを特徴とするものである。
【手続補正１５】
【補正対象書類名】明細書
【補正対象項目名】００２０
【補正方法】変更
【補正の内容】
【００２０】
本願請求項１４に記載された防食被膜を有する鋼製部材は、前記請求項３から請求項１３のいずれか１項の鋼製部材において、前記縁部定着材の非連続部にも、防食被膜が設けられていることを特徴とするものである。
【手続補正１６】
【補正対象書類名】明細書
【補正対象項目名】００２１
【補正方法】変更
【補正の内容】
【００２１】
本願請求項１５に記載された防食被膜を有する鋼製部材は、前記請求項２から請求項１４のいずれか１項の鋼製部材において、前記鋼製部材が、鋼矢板、鋼管杭、又は鋼管矢板のいずれかであることを特徴とするものである。
【手続補正１７】
【補正対象書類名】明細書
【補正対象項目名】００２２
【補正方法】変更
【補正の内容】
【００２２】
本願請求項１６に記載された防食被膜を有する鋼製部材は、前記請求項２から請求項１５のいずれか１項の鋼製部材において、前記防食被膜が、有機系経時硬化材料で形成されることを特徴とするものである。
【手続補正１８】
【補正対象書類名】明細書
【補正対象項目名】００２３
【補正方法】変更
【補正の内容】
【００２３】
本願請求項１７に記載された壁体構造物は、前記請求項２から請求項１６までのいずれか１項に記載された防食被膜を有する鋼製部材によって構成されることを特徴とするものである。
【手続補正１９】
【補正対象書類名】明細書
【補正対象項目名】００２４
【補正方法】変更
【補正の内容】
【００２４】
本願請求項１８に記載された壁体構造物は、前記請求項１７の壁体構造物において、前記防食被膜の下端面の位置が、干潮面下１ｍ以深又は平均干潮面以深のいずれかであることを特徴とするものである。
【手続補正２０】
【補正対象書類名】明細書
【補正対象項目名】００２５
【補正方法】変更
【補正の内容】
【００２５】
本願請求項１９に記載された、前記請求項２から請求項１６までのいずれか１項に記載された防食被膜を有する鋼製部材の製造方法は、前記鋼製部材に前記縁部定着材を固定する固定工程と、前記鋼製部材及び前記縁部定着材の少なくとも一方の少なくとも一部に粗化面及び凹凸面の少なくとも一方を形成する素地調整工程と、前記粗化面及び前記凹凸面の少なくとも一方を含む領域にプライマ層を形成するプライマ塗装工程と、前記プライマ層の上に前記防食被膜となる材料を塗布する塗布工程とを含むことを特徴とするものである。
【手続補正２１】
【補正対象書類名】明細書
【補正対象項目名】００２６
【補正方法】変更
【補正の内容】
【００２６】
本願請求項２０に記載された、前記請求項２から請求項１６までのいずれか１項に記載された防食被膜を有する鋼製部材によって構成される壁体構造物の施工方法は、前記防食被膜の下端面の位置を、干潮面下１ｍ以深又は平均干潮面以深のいずれかとなるように下方支持体中に埋設する工程を含むことを特徴とするものである。
【手続補正２２】
【補正対象書類名】明細書
【補正対象項目名】００２７
【補正方法】変更
【補正の内容】
【００２７】
本願請求項２１に記載された壁体構造物の施工方法は、前記請求項２０の施工方法において、前記下方支持体が、基礎地盤又はコンクリートフーチングであることを特徴とするものである。